(57)【要約】【課題】  衛生マスクの裏面に当接し、顔面に密着できるようにすると共に、空気中に浮遊する花粉、石綿粉、排気ガス粉等の微粒子を衛生マスクと共に捕捉して吸気に混入できないようにし、さらに、フィルター本体に取替可能の通気性カバーを取りつけて何回も長期使用できるようにした衛生マスクのパッド兼フィルターを提供する。【解決手段】  厚板状の軟質の微細連続多孔質成形体１０に、柔軟性のある通気性カバー２０を取替可能に被覆して形成したものからなり、衛生マスク３０の裏面に当接し、顔面４０と密着できるようにして使用する衛生マスク用パッド兼フィルター。【選択図】    図３
2007244549.tif 000002
【特許請求の範囲】
【請求項１】
厚板状の軟質の微細連続多孔質成形体に、柔軟性のある通気性カバーを取替可能に被覆して形成したものからなり、衛生マスクの裏面に当接し、顔面と密着できるようにして使用することを特徴とした衛生マスク用パッド兼フィルター。
【請求項２】
前記厚板状の軟質の微細連続多孔質成形体が、多数の微粒状水溶性物質と常温硬化形のゴム・合成樹脂物質とを混合して硬化成形したのち、水浸して前記微粒状水溶性物質を除去し、乾燥させて、多数の微細曲折孔乃至迷路孔を形成したものからなることを特徴とした請求項１記載の衛生マスク用パッド兼フィルター。
【請求項３】
前記厚板状の軟質の微細連続多孔質成形体が、前面部が曲面状に縁取りされたものから形成され、後面部が直角面状に縁取りされたものから形成されていることを特徴とした請求項１又は２記載の衛生マスク用パッド兼フィルター。
【発明の詳細な説明】
【技術分野】
【０００１】
本発明は、衛生マスクの裏面に当接し、顔面に密着して使用されるパッド兼フィルターに関する。
【背景技術】
【０００２】
一般に、衛生マスクは、いわゆる立体マスク形であっても、使用中は顔面からの隙間を完全に防止することができない欠点があり、そのため顔面との隙間から吸気の際に花粉等の空中浮遊物が侵入することを防止できなかった。
そこで、本発明者は、厚みがあり、衛生マスクの裏面に当接すると共に、顔面に密着できるようにした、柔軟性があるパッド兼フィルターを介在させれば、顔面からの隙間を完全に防止できることを見出し、また、前記パッド兼フィルターを使用すれば、衛生マスクのフィルター作用に加えて、花粉、石綿粉、煤煙等の空中浮遊微粒子を完全に捕捉することできることを見出し、本発明を完成した。
【特許文献１】特開２００１−１６１８４４号公報
【発明の開示】
【発明が解決しようとする課題】
【０００３】
本発明は、衛生マスクの裏面に当接し、顔面に密着できるようにした衛生マスク用パッド兼フィルターを提供するものである。
また、本発明は、衛生マスクのフィルター作用に加えて、空気中に浮遊する花粉、石綿粉、煤煙等の微粒子を捕捉して吸気に混入できないようにした衛生マスク用パッド兼フィルターを提供するものである。
さらに、本発明は、パッド兼フィルターの本体に、取替可能の通気性カバーを被覆して何回も取替できるようにし、長期間使用できるようにした衛生マスクのパッド兼フィルターを提供するものである。
【課題を解決するための手段】
【０００４】
本発明衛生マスク用パッド兼フィルターは、上記課題を達成するため、図示するように、厚板状の軟質の微細連続多孔質成形体に、柔軟性のある通気性カバーを取替可能に被覆して形成したものからなり、衛生マスクの裏面に当接し、顔面と密着できるようにして使用するものである。
また、本発明衛生マスク用パッド兼フィルターは、上記課題を達成するため、図示するように、前記厚板状の軟質の微細連続多孔質成形体が、多数の微粒状水溶性物質と常温硬化形のゴム・合成樹脂物質とを混合して硬化成形したのち、水浸して前記微粒状水溶性物質を除去し、乾燥させて、多数の微細曲折孔乃至迷路孔を形成したものである。
さらに、本発明衛生マスク用パッド兼フィルターは、上記課題を達成するため、図示するように、前記厚板状の軟質の微細連続多孔質成形体が、前面部が曲面状に縁取りされたものから形成され、後面部が直角面状に縁取りされたものから形成されているものである。
本発明において、衛生マスクは、一般に市販されているものはいずれも使用できる。
また、本発明において、厚板状の軟質の微細連続多孔質成形体は、成形体に形成される微細孔が多数の曲折孔乃至迷路孔を形成した通気孔であればよく、このため、しょ糖類、尿素粉、食塩等の微粒状水溶性物質と常温硬化形のシリコーンゴム、ウレタン樹脂等のゴム・合成樹脂物質とを均一混合して硬化成形させたのち、硬化成形物を水浸して前記微粒状水溶性物質を除去し乾燥させたものが好ましく、発泡剤を使用した合成樹脂製連続気泡形の微細連続多孔質成形体でも使用できる場合がある。
通気性カバーは、柔軟性があり、肌触りのよい紙、不織布等が好ましく、また、通気性カバーは、シートを糊付、融着、両面粘着テープの粘着等によりのり巻きすしののりのように、エンドレスの巻き帯の形に形成することが望ましく、通気性カバーの取替はその開口部から行われる。
【発明の効果】
【０００５】
本発明品は、市販の衛生マスクの裏面に当接させると共に、顔面との間に密着できるようにして使用できるので、マスクの隙間からの空中浮遊微粒子の侵入を防止できる。また、本発明品は、衛生マスクのフィルター作用に加えて空中浮遊微粒子のフィルター作用が行われるのでマスク効果を更に向上させる。さらに、本発明品のパッド兼フィルターの本体に被覆される通気性カバーは取替え容易なため長期間の使用が可能となった。
【発明を実施するための最良の形態】
【０００６】
多数の微細な曲折孔乃至迷路孔を形成した軟質の微細連続多孔質成形体を製造すること、前記成形体は、衛生マスクの裏面に当接できるサイズの厚板状に型込めし、その際に、前面部の縁は丸く、後面部の縁は直角に型込めすること。通気性カバーは、肌ざわりのよい極めて柔軟性のある紙又は不織布で製作し、前記成形体を巻き包むように被覆し、開口部から取替可能にすること。
【実施例】
【０００７】
本発明の実施例が図１、図２及び図３に示されている。本発明実施例の衛生マスク用のパッド兼フィルターは、厚板状の軟質の微細連続多孔質成形体１０と柔軟性のある肌触りのよい通気性カバー２０からなる。成形体１０は、平均粒度３０ミクロン以下の粉糖７０〜８０重量％と粉糖の溶出を促進するプロピレングリコール２０〜３０重量％を均一混合したもの２００〜４００重量％に、２液型ＲＴＶシリコーンゴム（ジーイー東芝シリコーン株式会社ＴＳＥ３４５３ＴＡ・Ｂ）１００重量％を均一混合して、混合液を幅約８５×約６０ミリメートル、厚み約１５ミリメートルの厚板状で、前面部１０１が曲面状に縁１０１１取りされ、後面部１０２が直角面状に縁１０２１取りできるように注型し、１５０℃以下に低温加熱して硬化させ、硬化成形体を約１００℃の水に６時間浸漬して糖類及びプロピレングリコールを溶出させたのち、約１００℃で４時間乾燥して、図１及び図２に示すようなほぼ注型どおりの成形体１０を得た。
成形体１０は、極めて軟質で、人体皮膚に近似した感触性、柔軟性、弾力性、保形性、強度性等を有し、通気性、吸水性が良好なものである。この成形体１０の前面部１０１は丸く縁１０１１取りされているため衛生マスクの裏面に当接するのに都合よく、また、後面部１０２の直角縁１０２１と区別できるので、後述の通気性カバー２０を取替える際に、前面部１０１と後面部１０２とが区別でき、前面部１０１と後面部１０２とを間違って通気性カバー２０を被覆し、成形体１０の前面部１０１に吸着された花粉等の空中浮遊物を誤って吸気する恐れがないことになる。
通気性カバー２０は、図２に示すように、肌触りのよい柔軟なパルプ製不織布で形成され、シートの一端２０１を成形体１０の前面部１０１のほぼ中央に、他端２０２を一端２０１の上に重ね合うようにのせ、澱粉糊を介して接着したものである。
通気性カバー２０は、エンドレスの巻き帯状のもので、図２に示すように、成形体１０の前面部１０１の中央に、接着部２００がくるように巻き包んで被覆できるようにしたもので、成形体１０は軟質のため通気性カバー２０の開口部から差し入れて、容易に取替えできる。また、通気性カバーの接着部２００は吸気側にないので肌触りが極めてよい。
従って、図３に示すように、衛生マスク３０の裏面に、接着部２００がくるように、通気性カバー２０が被覆された軟質微細連続多孔質成形体１０を当接すれば、顔面４０は、成形体１０の後面部１０２に密着して吸気されることになり、衛生マスク３０と本発明品のパッド兼フィルターとの２重のフィルタ作用と密着作用により、空気中の浮遊微粒子は完全に捕捉されることになる。
【産業上の利用可能性】
【０００８】
本発明品は、小型軽量、安価に量産できる。
【図面の簡単な説明】
【０００９】
【図１】本発明の実施例を示す厚板状軟質微細連続多孔質成形体の説明図である。
【図２】本発明の実施例を示す断面の説明図である。
【図３】本発明の使用状態の説明図である。
【符号の説明】
【００１０】
１０              厚板状軟質微細連続多孔質成形体
２０              柔軟性のある通気性カバー
１０１            前面部
１０２            後面部
３０              衛生マスク
４０              顔面
【図１】
2007244549.tif 000003
【図２】
2007244549.tif 000004
【図３】
2007244549.tif 000005